(57)【要約】
【課題】　移動や方向転換操作が簡易に行い得るようにして操作性の向上を図る。
【解決手段】　取付部１０に固定されるブラケット部材２２と、このブラケット部材２２に支架した支軸部材２３と、この支軸部材２３に回転自在に軸装されるとともに外周部が接地されるローラ体２５と、支軸部材２３の先端に取り付けたボール体２６とから構成された移動ローラ機構５を、第１半割槽２と第２半割槽３の突き合わせ端部に設けた取付部１０、１９に取り付けられる。
【選択図】　図４
0003100453.tif 000002
【実用新案登録請求の範囲】
【請求項１】
　半割した第１半割槽と第２半割槽とを、相対する突合せ端部間を結合手段によって一体に結合してなる分割型浴槽において、
　前記第１半割槽と第２半割槽に対して、それぞれの前記突合せ端部の両側部に位置して設けた取付部に取り付けられる一対の移動用ローラ装置を備え、
　前記各移動用ローラ装置が、前記取付部に固定されるブラケット部材と、このブラケット部材に支架した支軸と、この支軸に回転自在に軸装されるとともに外周部が接地されるローラ体とから構成され、
　前記各移動用ローラ装置の前記各ローラ体が、前記第１半割槽或いは前記第２半割槽を長手方向のフランジ部と対向する部位を持ち上げた状態で移動操作を行う際に回転することを特徴とする分割型浴槽。
【請求項２】
　前記各移動用ローラ装置には、前記取付部から側方へ突出する前記各支軸の先端部に球形状のボール体が取り付けられ、
　前記左右いずれか一方のボール体が、前記第１半割槽或いは前記第２半割槽を長手方向のフランジ部と対向する部位を持ち上げた状態で方向転換操作を行う際に支点を構成して回転することを特徴とする請求項１に記載の分割型浴槽。
【考案の詳細な説明】
【技術分野】
【０００１】
　本考案は、第１半割槽と第２半割槽とからなり、自動車等に積み込んで所望の場所へと運搬されるとともにその場所で降ろされて屋内等に運び込まれて組み立てられ、身障者や老人等の要介護者に対する訪問入浴サービス用に好適に用いられる分割型浴槽に関する。
【背景技術】
【０００２】
　訪問入浴サービスは、在宅の身障者や寝たきり老人等の要介護者に対する介護サービスの一環として行われており、要介護者の住居まで訪問して自動車に搭載した浴槽が降ろされて屋内等に運び入れられる。訪問入浴サービスは、自動車からホースによって浴槽内に湯がはられ、複数の介護人によって入浴タンカに乗せた要介護者に対する入浴介護が行われる。
【０００３】
　訪問入浴サービスには、等身大の大きさの浴槽が用いられることから、この浴槽や給湯装置等を搭載するためにかなり大型の自動車が用いられる。かかる介護車両は、都会の狭い道路への進入が困難であるとともに駐車スペースの確保も困難であるといった問題があった。また、浴槽も、大型であることから住居内等への運び入れや設置の作業が介護者等に対して大きな負担となるといった問題があった。
【０００４】
　出願人は、これらの問題に対して特許文献１に開示されるように、第１半割槽と第２半割槽とに分割可能とすることによって運搬性を改善するとともに分解・組立の作業性を向上した分割浴槽を提供した。分割浴槽は、第１半割槽と第２半割槽とに分割されることで小型の自動車での搬送が可能となり、住居内等への運び入れの負担も軽減する。
【０００５】
　すなわち、分割浴槽１００は、図８及び図９に示すように略中央部において第１半割槽１０１と第２半割槽１０２とに分割されてなる。第１半割槽１０１には、開放側の端部１０１ａの周回りにステンレス材等によって形成された第１フランジ部材１０３が取り付けられるとともに、長手方向の他方部位の底面部に脚部１０４が取り付けられている。第１フランジ部材１０３には、詳細を省略するがシーリング部１０５が設けられるとともに、凹部や凸部からなる複数の位置決め部１０６が設けられている。
【０００６】
　第１半割槽１０１には、第１フランジ部材１０３の適宜の位置に複数のクランプ部材１０７が取り付けられている。第１半割槽１０１は単体で、第１フランジ部材１０３の底部１０３ａが脚部１０４と共同することによって、倒れずに置くことができる。
【０００７】
　第２半割槽１０２も、開放側の端部１０２ａの周回りにステンレス材等によって形成された第２フランジ部材１０８が取り付けられるとともに、長手方向の他方部位の底面部に第１半割槽１０１側の固定脚部１０４と同一高さ位置となるようにする脚部１０９が取り付けられている。第２フランジ部材１０８には、詳細を省略するがシーリング部１１０が設けられるとともに、図示しないが第１半割槽１０１側の位置決め部１０６と相対係合される複数の位置決め部が設けられている。第２半割槽１０２には、第２フランジ部材１０８の適宜の位置に、第１半割槽１０１側のクランプ部材１０７と対向して係合部１１１が形成されている。
【０００８】
　分割浴槽１００は、第１半割槽１０１に対して第２半割槽１０２が、それぞれの位置決め部を相対係合させるようにして第１フランジ部材１０３に第２フランジ部材１０８を突き合わせ、相対的な高さと左右の位置を位置決めされて組み合わされる。分割浴槽１００は、クランプ部材１０７を係合部１１１と係合した状態で回動操作することによって、第１フランジ部材１０３と第２フランジ部材１０８に形成されたシーリング部１０５，１１０とを圧着状態で結合させる。
このとき、水平状態を保持して結合された第１半割槽１０１の第一フランジ部材１０３の底部１０３ａと第２半割槽１０２の第２フランジ部材１０８の底部１０８ａは、地面に設置しないような高さとされている。つまり、一体化された状態の分割浴槽１００は、脚部１０４，１０９によってのみ支えられて設置される。このことにより、両脚部１０４，１０９間の床面に多少の段差等があっても、支障なくシーリングが可能となる。
【特許文献１】実公平３−２７５０２号公報
【考案の開示】
【考案が解決しようとする課題】
【０００９】
　分割浴槽１００によれば、上述したように第１半割槽１０１と第２半割槽１０２とに分割されることによって、例えば介護者等が抱きかかえるようにして一人でも自動車への積み降ろしを行ったり持ち運びが可能とされるようになる。分割浴槽１００によれば、屋内等に運び込んだ第１半割槽１０１と第２半割槽１０２とを相対する第１フランジ部材１０３と第２フランジ部材１０８とを突き合わせた状態でクランピングする簡易な操作によって一体化されて設置することが可能である。
【００１０】
　しかしながら、分割浴槽１００においては、第１半割槽１０１と第２半割槽１０２とに分割して構成したとはいえ、これら第１半割槽１０１や第２半割槽１０２がまだまだ大きな重量を有するとともに嵩ばる。したがって、分割浴槽１００においては、例えば女性スタッフ等にとって、これら第１半割槽１０１や第２半割槽１０２を抱えて運ぶ作業がまだまだ大変な重労働になっていた。特に一体化する際に、それぞれのフランジ部材の底部１０３a，１０８ａが床面を擦り傷つけたりしないように、開放側の端部１０１ａ，１０２ａとは反対側の端部を抱えた状態で位置合わせしなくてはならないため、腕，肩等への負担、中腰の姿勢による腰，背中等への負担、といった大変な労力が必要であった。
【００１１】
　さらに、分割浴槽１００においては、上述したように第１フランジ部材１０３と第２フランジ部材１０８のそれぞれの底部１０３ａ，１０８ａが突出して設けられており、これら底部１０３ａ，１０８ａも持ち運び時、特に方向転換する場合に柱や壁等にぶつかってこれを傷を付けてしまうことがあった。
【００１２】
　したがって、本考案は、移動や方向転換の操作が一人でも簡易に行い得るようにして操作性の向上を図る分割型浴槽を提供することを目的とする。
【課題を解決するための手段】
【００１３】
　上述した目的を達成する本考案にかかる分割型浴槽は、半割した第１半割槽と第２半割槽とからなり、相対する突合せ端部間を結合手段によって一体に結合する。分割型浴槽は、第１半割槽と第２半割槽のそれぞれの突合せ端部の底面部に、その両側部に位置して設けた取付部にそれぞれ取り付けられた一対の移動用ローラ装置を備える。分割型浴槽は、各移動用ローラ装置が、取付部に固定されるブラケット部材と、このブラケット部材に支架した支軸と、この支軸に回転自在に軸装されるとともに外周部が接地されるローラとから構成される。
【００１４】
　以上のように構成した本考案にかかる分割型浴槽によれば、第１半割槽と第２半割槽とを分割した状態で運搬車等によって搬送され、目的地に到着すると降ろされて屋内に運び込まれる。分割型浴槽によれば、例えば水平状態を保持して設置した第１半割槽に対して第２半割槽が、相対する突合せ端部を互いに突き合わせて組み合わされる。分割型浴槽によれば、第１半割槽と第２半割槽とが、互いに相対的な高さと左右の位置を位置決めされた状態で結合手段により一体化される。
【００１５】
　分割型浴槽によれば、目的地において第１半割槽や第２半割槽を移動する場合に、長手方向の取付部と対向する片側部位を持ち上げた状態で押したり引きずることによって移動操作が行われる。分割型浴槽によれば、第１半割槽や第２半割槽の片側を持ち上げることにより、各移動用ローラ装置の各ローラが接地することで、引きずったり押したりして移動させることによってローラが回転する。
【００１６】
　また、分割型浴槽は、各移動用ローラ装置が、取付部から側方へ突出する各支軸の一端部に、球形状のボール体が取り付けられてなる。分割型浴槽によれば、左右いずれか一方のボール体が、第１半割槽或いは前記第２半割槽を長手方向の取付部と対向する部位を持ち上げた状態で方向転換操作を行う際に支点を構成して回転する。
【考案の効果】
【００１７】
　以上のように構成された本考案にかかる分割型浴槽によれば、第１半割槽や第２半割槽の底面部に移動用ローラ装置を設け、これら第１半割槽や第２半割槽を片側を持ち上げながら移動させると各ローラが接地しながら回転することにより、軽微な力で移動させることが可能となる。したがって、分割型浴槽によれば、第１半割槽や第２半割槽を移動操作、特に一体化作業時に位置決めする際の介護者等への負担を大幅に低減させるようにするとともに床面や壁等を傷付けるといった不都合の発生が防止されるようにする。
【００１８】
　また、分割型浴槽によれば、各移動用ローラ装置に取付部から突出するボール体を設けたことによって、移動操作等に際してこのボール体がクッション材として作用して壁等の損傷発生をより確実に防止する。分割型浴槽によれば、移動時や設置後に例えば方向転換を行う場合にボール体が支点を構成して回転することで、第１半割槽や第２半割槽の向きを狭い場所でもスムーズに転換することが可能とされるとともに床面の損傷が防止されるようにする。
【考案を実施するための最良の形態】
【００１９】
　以下、本考案の実施の形態として示す分割浴槽１について、図面を参照して詳細に説明する。分割浴槽１は、強化プラスチックで大人の等身大以上の大きさに成形されたバスタブ型の浴槽であり、図１に示すように略中央部において第１半割槽２と第２半割槽３とに２分割され、これら第１半割槽２と第２半割槽３とが詳細を後述する分割・結合機構４を介して分解・組立自在とされる基本的な構成を上述した従来の分割型浴槽１００と同様とする。分割型浴槽１には、図示を省略するが給湯口や排水口が適宜設けられるとともに、例えばシャワー等も付設される。
【００２０】
　分割浴槽１は、搬送時等において第１半割槽２と第２半割槽３とが分割され、例えば図２に示すように第１半割槽２内に第２半割槽３を重ね合わせるようにして運搬車等に搭載して要介護者の住居等の目的地まで運ばれる。分割型浴槽１は、目的地に到着すると運搬車から降ろされ、第１半割槽２と第２半割槽３とがそれぞれ住居内へ運び込まれて分割・結合機構４を介して一体化されて設置される。
【００２１】
　分割浴槽１は、詳細を後述するように第１半割槽２と第２半割槽３とに詳細を後述する移動ローラ機構５Ａ、５Ｂが設けられており、この移動ローラ機構５Ａ、５Ｂを介してそれぞれが軽微な力で移動させることが可能である。なお、移動ローラ機構５Ａ、５Ｂについては、基本的な構成を同等とする機構であることから以下の説明において、特に個別に説明する場合を除いて移動ローラ機構５と総称する。
【００２２】
　第１半割槽２には、底面部の閉塞側に位置して互いに幅方向に対向離間して一対の取付部６、６が一体に形成され、これら取付部６、６にそれぞれ両端を嵌合されて略コ字状のスタンド部材７が取り付けられる。第１半割槽２には、開放側の端部に沿って周回りに取付フランジ部８が一体に形成され、この取付フランジ部８の全面に例えば充分な機械的強度を有する厚みのステンレス材によって形成された第１フランジ部材９が接着剤及びビス等によって接合されて取り付けられる。
【００２３】
　第１フランジ部材９は、第１半割槽２の開放端部の形状とほぼ等しい略Ｕ字状を呈しており、図３に示すように底部を下方へと突出して取付部１０が形成されている。第１フランジ部材９は、取付部１０の両端部位が後述する移動ローラ機構５の取付部を構成し、この移動ローラ機構５を取り付けた状態において開放側をスタンド部材７が設けられた閉塞側と同一の高さより短い位置となるように第１半割槽２の底面部から突出される。
【００２４】
　第１フランジ部材９には、詳細を省略するが表面に全周に亘って取付溝が形成され、この取付溝にシールパッキン材１１が表面を露出させた状態で取り付けられる。シールパッキン材１１は、第１半割槽２と第２半割槽３とを結合した状態において相対する開放端部間で弾性変形した状態で密着してシーリングする。なお、このシールパッキン材１１については、第２半割槽３側に設けるようにしてもよい。
【００２５】
　第１フランジ部材９には、図３に示すように表面の適宜の位置に、複数の位置決め凸部１２が形成されている。これら位置決め凸部１２は、後述する第２半割槽３側の第２フランジ部材１８に形成した位置決め凹部１３にそれぞれ対向して設けられており、第１半割槽２と第２半割槽３とが精密に組み合わされるようにする。
【００２６】
　第１フランジ部材９には、分割・結合機構４を構成する複数のクランプ機構が設けられている。各クランプ機構は、上述した特許文献１に詳細を開示されているが、第２半割槽３側の第２フランジ部材１８に係脱されるクランプ部材と、このクランプ部材を動作させる操作レバー等から構成される。クランプ機構は、第１半割槽２と第２半割槽３とを組み合わてクランプ部材を第２フランジ部材１８に係合させた状態で操作レバーを回動操作することにより、第１半割槽２に対して第２半割槽３を密着させて一体化する。なお、クランプ機構については、相対する部材を一体化する際に従来一般的に採用されている種々のクランプ機構が用いられて分割・結合機構４を構成する。
【００２７】
　第２半割槽３には、閉塞端部側に洗髪槽１５が形成されるとともに、底面部にスタンド部材１６が取り付けられている。第２半割槽３にも、開放側の端部に沿って周回りに取付フランジ部１７が一体に形成され、この取付フランジ部１７の全面に例えば充分な機械的強度を有する厚みのステンレス材によって形成された第２フランジ部材１８が接着剤及びビス等によって接合されて取り付けられる。取付フランジ部１７及び第２フランジ部材１８は、上述した第１半割槽２側の取付フランジ部８及び第１フランジ部材９とほぼ同形に形成されている。
【００２８】
　すなわち、第２フランジ部材１８は、第２半割槽３の開放端部の形状とほぼ等しい略Ｕ字状を呈しており、底部を下方へと突出して取付部１９が形成されている。第２フランジ部材１８は、取付部１９の両端部位が後述する移動ローラ機構５の取付部を構成し、この移動ローラ機構５を取り付けた状態において開放側をスタンド部材１６が設けられた洗髪槽１５側と同一の高さよりも短い位置となるように第２半割槽３の底面部から突出される。第２フランジ部材１８には、上述した第１フランジ部材９側の位置決め凸部１２と対向して、表面の適宜の位置に、複数の位置決め凹部１３が形成されている。
【００２９】
　移動ローラ機構５は、上述したように第１半割槽２側の第１フランジ部材９に形成した取付部１０と第２半割槽３側の第２フランジ部材１８に形成した取付部１９上に、それぞれ一対（５Ａ１、５Ａ２）、（５Ｂ１、５Ｂ２）ずつが取り付けられる。各移動ローラ機構５は、図４乃至図６に示すように、それぞれブラケット部材２２と、支軸部材２３と、ブッシュ２４と、ローラ２５と、ボール体２６とを備え、左右対称形に構成される。
【００３０】
　ブラケット部材２２は、例えばステンレス材によって形成され、第１フランジ部材９の取付部１０や第２フランジ部材１８の取付部１９にねじ止め固定される略矩形の取付片部２７と、この取付片部２７から互いに平行に対峙して一体に立設された一対の支持片部２８、２９とからなる。ブラケット部材２２には、取付片部２７に複数の取付孔３０が形成され、また一端側に面取りが施されている。ブラケット部材２２には、各支持片部２８、２９に互いに軸線を一致させて軸孔３１、３２が形成されている。
【００３１】
　ブラケット部材２２には、例えば一方の支持片部２８側から軸孔３１に支軸部材２３が嵌挿される。支軸部材２３は、支持片部２８、２９の対向間隔よりも長軸のねじ部材からなり、先端ねじ部２３ａが他方の支持片部２９の軸孔３２から貫通されてワッシャ３３を介して後述するボール体２６が嵌め込まれることによって抜止めされてブラケット部材２２に組み付けられる。支軸部材２３には、支持片部２８、２９間においてその外周部に筒状のブッシュ２４が軸装される。
【００３２】
　ブッシュ２４は、例えばステンレスパイプ材によって支持片部２８、２９の対向間隔とほぼ等しいか、やや長めに軸長を以って形成される。ブッシュ２４は、例えばブラケット部材２２の一方の支持片部２８の軸孔３１から嵌挿され、この嵌挿端部を他方の支持片部２９の軸孔３２に挿通し、軸孔３１、３２に対して回転可能な状態とする。ブッシュ２４には、その外周部にローラ２５が軸装される。
【００３３】
　ローラ２５は、例えば硬質ゴム或いはジュラコン等の合成樹脂によって、ブラケット部材２２の支持片部２８、２９の対向間隔よりもやや短軸の筒状に成形される。ローラ２５は、ブッシュ２４を介してブラケット部材２２に組み付けられた状態において、取付片部２７と対向する外周部が支持片部２８、２９の先端より突出される。ローラ２５は、後述するように第１半割槽２や第２半割槽３を移動させる際に外周部が接地されてブッシュ２４の外周部を回転する。
【００３４】
　支軸部材２３には、支持片部２９から突出された先端ねじ部２３ａにボール体２６がはめ込まれる。ボール体２６は、ゴム材によって球体に成形され、その外周部に支軸部材２３の先端ねじ部２３ａを嵌め込む取付けネジ金具２６ａが形成されている。
【００３５】
　移動ローラ機構５においては、支持片部２８の軸孔３１側から嵌挿されるブッシュ２４を貫通させ、その外周にブラケット部材２２の支持片部２８、２９間にローラ２５を介挿する。移動ローラ機構５においては、支持片部２８の軸孔３１側から支軸部材２３が嵌挿されて支持片部２９の軸孔３２を貫通した先端ねじ部２３ａがワッシャ３３を介してボール体２６が嵌め込まれることによって組み立てられる。
【００３６】
　なお、移動ローラ機構５については、かかる構造に限定されるものでは無く、第１フランジ部材９の取付部１０や第２フランジ部材１８の取付部１９に固定されるブラケット部材２２に支架した支軸に対してローラ２５を回転自在に軸装するとともに、支軸の一端部にボール体２６を取り付けた構造であればよい。移動ローラ機構５においては、上述したように支軸部材２３の先端ねじ部２３ａをボール体２６の取付けネジ金具２６ａ内に嵌め込むようにしたが、例えば適宜の抜止め構造を設けたり接着剤によって接合して一体化するようにしてもよい。
【００３７】
　以上のように構成された移動ローラ機構５は、上述したように第１半割槽２や第２半割槽３の第１フランジ部材９や第２フランジ部材１８の底面部に幅方向に離間してそれぞれ一対が取り付けられるが、図３及び図４を参照して第１半割槽２への取付構造を代表して説明する。移動ローラ機構５は、第１フランジ部材９に対してその裏面側から取付部１０に取り付けられる。移動ローラ機構５は、搬送時等において障害物に当たって破損したり邪魔になったりすることは無い。
【００３８】
　移動ローラ機構５は、第１フランジ部材９に対して、ローラ２５が取付部１０と平行とされるとともにその外周部が取付部１０の底部より下方へと突出するようにして取り付けられる。また、移動ローラ機構５は、ボール体２６が第１フランジ部材９に対して側方から突出する。移動ローラ機構５は、第１半割槽２を単体で床面等に置いた状態においては、ローラ２５が接地するためスタンド部材７と共同して脚部を構成し、第１半割槽２は倒れずに置くことができる。
【００３９】
　しかし、後述するように第１半割槽２と第２半割槽３を分割・結合機構４によって水平状態を保持して一体化されると、移動ローラ機構５は地面に設置しないような高さとされる。つまり、一体化された状態の分割浴槽１は、スタンド部材７，１６によってのみ支えられて設置される。このことにより、両スタンド部材７，１６間の床面に多少の段差等があっても、支障なくシーリングが可能となる。
【００４０】
　移動ローラ機構５は、図７に示すように第１半割槽２をスタンド部材７側で持ち上げて傾けることによって、床面に対してローラ２５のみが接地した状態とする。したがって、移動ローラ機構５は、各移動用ローラ装置の各ローラが接地することで、第１半割槽２を引きずったり押したりして移動させるとローラ２５が回転し、軽微な力で移動操作を行うことを可能とさせる。移動ローラ機構５は、第１半割槽２や第２半割槽３を移動する際に介護者等への負担を大幅に低減させるようにするとともに床面や壁等を傷付るといった不都合の発生が防止されるようにする。
【００４１】
　また、移動ローラ機構５は、移動時等に際して第１半割槽２を方向転換させることがあり、第１半割槽２を持ち上げた状態のまま左右いずれかの方向に傾けた場合に側面方向に突出したボール体２６が接地する。移動ローラ機構５は、接地したボール体２６が支点となり所定の方向に移動することによってその位置で第１半割槽２を方向転換させる。移動ローラ機構５は、狭い場所でも第１半割槽２をスムーズに方向転換させることを可能とさせるとともに、ローラ２５にねじれ方向の大きな負荷を生じさせないようにする。
【００４２】
　以上のように構成された分割浴槽１は、運搬車等から降ろされて第１半割槽２と第２半割槽３とがそれぞれ別々に住居内等に運び込まれる。分割浴槽１においては、例えば水平状態を保持して設置された第１半割槽２に対して第２半割槽３が、第１フランジ部材９に第２フランジ部材１８を突き合わされる。分割浴槽１においては、第１半割槽２と第２半割槽３とが、相対する位置決め凸部１２と位置決め凹部１３を位置決め凹部２０と位置決め凸部２１に係合することによって高さ方向や左右方向の位置決めを行った状態で、分割・結合機構４によって一体化される。分割浴槽１においては、シールパッキン部材１１が第１フランジ部材９と第２フランジ部材１８との間で弾性変形した状態で密着することによって、第１半割槽２と第２半割槽３との間がシーリングされる。
【００４３】
　このように、第１半割槽２と第２半割槽３とを一体化する際に、突合せ面側に形成された移動ローラ機構５が接地し、ローラ２５が回転し、軽微な力で移動操作を行うことが可能となるので、従来のようにスタンド部材７，１６側の端部を抱えた状態で位置合わせする必要もなく、腕，肩等への負担、中腰の姿勢による腰，背中等への負担、といった大変な労力も不要となる。
【００４４】
　分割浴槽１においては、例えば図示しない給湯口に対して運搬車等からの給湯ホースが結合されるとともに排水口に排水ホースが結合される。分割浴槽１においては、運搬車等から供給されるお湯が槽内にはられ、複数の介護人によって入浴タンカに乗せた要介護者に対する入浴介護が行われるようにする。分割浴槽１においては、入浴介護が終了すると排水口が開けられて槽内からの排水が行われ、分割・結合機構４を介して第１半割槽２と第２半割槽３とが分割される。
【００４５】
　分割浴槽１においては、分割された第１半割槽２と第２半割槽３とが再び運搬車まで移動されて積み込まれる。分割浴槽１は、上述したように第１半割槽２と第２半割槽３とにそれぞれ一対の移動ローラ機構５を設けたことによって、運搬車から住居内、また住居内から運搬車までの移動を介護人が１人でもスムーズに行うことが可能であり、介護者等の負担を大幅に低減するとともに時間短縮が図られる。
【００４６】
　分割浴槽１においては、移動ローラ機構５に第１半割槽２や第２半割槽３の側面から突出するゴム等の弾性材からなるボール体２６を設けたことによって、このボール体２６がクッション材として作用して壁等の損傷発生をより確実に防止する。分割型浴槽１においては、移動時や設置後に例えば方向転換を行う場合にボール体２６が支点を構成してその場で第１半割槽２や第２半割槽３の向きを変えることが可能とされ、狭い場所での方向転換がスムーズに行われるようにするとともに床面や取付部の損傷等が防止される。
【図面の簡単な説明】
【００４７】
【図１】本考案の実施の形態として示す分割浴槽の斜視図である。
【図２】分割浴槽を重ねた状態の斜視図である。
【図３】第１半割槽の要部側面図である。
【図４】第１半割槽に取り付けた移動ローラ機構の説明図である。
【図５】移動ローラ機構の側面図である。
【図６】移動ローラ機構の要部縦断面図である。
【図７】第１半割槽の移動操作の説明図である。
【図８】従来の分割浴槽の斜視図である。
【図９】第１半割槽の要部側面図である。
【符号の説明】
【００４８】
　１　　　　分割浴槽
　２　　　　第１半割槽
　３　　　　第２半割槽
　４　　　　分割・結合機構
　５　　　　移動ローラ機構
　８　　　　取付フランジ部
　９　　　　第１フランジ部材
　１０　　　取付部
　１１　　　シールパッキン材
　１７　　　取付フランジ部
　１８　　　第１フランジ部材
　１９　　　取付部
　２２　　　ブラケット部材
　２３　　　支軸部材
　２４　　　ブッシュ
　２５　　　ローラ
　２６　　　ボール体
【図１】
0003100453.tif 000003
【図２】
0003100453.tif 000004
【図３】
0003100453.tif 000005
【図４】
0003100453.tif 000006
【図５】
0003100453.tif 000007
【図６】
0003100453.tif 000008
【図７】
0003100453.tif 000009
【図８】
0003100453.tif 000010
【図９】
0003100453.tif 000011